【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
顎骨内に回転式に配向された埋め込みのための歯科インプラントであって、
歯冠−根尖軸に沿って長手方向の大きさを有する本体であって、前記歯冠−根尖軸の周りでＮ数の別個の対向方向を有し、Ｎ数は少なくとも１である、前記本体と
歯科インプラント埋め込みツールのインターロッキング部分を受け入れるための表面によって画定された受け入れ容積域とを備え、
前記表面が、正確にＮ数の配向の１つで前記インターロッキング部分とインターロックするように配置される、前記歯科インプラント。
【請求項２】
前記受け入れ表面によってもたらされたインターロッキングの前記Ｎ数の配向が、前記歯科インプラント本体の前記Ｎ数の別個の対向方向に角度的に対応し、
それによって、歯科インプラント埋め込みツールが、前記受け入れ表面によって前記Ｎ数の配向の１つにインターロックされたとき、前記対向方向の配向を前記ツールの配向から決定することが可能である、請求項１に記載の歯科インプラント。
【請求項３】
Ｎ数が、１から３の間である、請求項１または２に記載の歯科インプラント。
【請求項４】
Ｎ数が、２または３である、請求項３に記載の歯科インプラント。
【請求項５】
各々の前記対向方向が、前記長手方向長さに沿って前記外側表面の形状の特徴によって規定される、請求項１から４のいずれか一項に記載の歯科インプラント。
【請求項６】
各々の前記対向方向が、前記歯冠−根尖軸に対する切り取り領域の配向によって規定される、請求項１から４のいずれか一項に記載の歯科インプラント。
【請求項７】
前記切り取り領域が、前記歯科インプラントが埋め込まれたとき、骨内に埋められる、請求項６に記載の歯科インプラント。
【請求項８】
前記Ｎ数のインターロックされる配向が、前記歯冠−根尖軸の周りの一連の相対角度で位置決めされ、前記一連の相対角度は、前記Ｎ数の対向方向が前記歯冠−根尖軸の周りに位置決めされる一連の相対角度と同じである、請求項１から７のいずれか一項に記載の歯科インプラント。
【請求項９】
前記相対角度のすべてが等しい、請求項８に記載の歯科インプラント。
【請求項１０】
前記歯科インプラントおよび埋め込みツールがインターロックされ、前記埋め込みツールが回転されたとき、前記埋め込みツールからトルクを受け取るように構成された少なくともＮ＋１数のトルク受け入れ表面をさらに備え、Ｎ数の前記トルク受け入れ表面は、前記受け入れ表面内に含まれる、請求項８または９に記載の歯科インプラント。
【請求項１１】
前記受け入れ容積域が、前記埋め込みツールからトルク力を受け入れるように配向された表面を備えて構成された複数の切欠部を含み、前記切欠部の少なくとも第１の切欠部は、前記切欠部の少なくとも第２の切欠部とは形状において別個のものである、請求項１から７のいずれか一項に記載のインプラント。
【請求項１２】
前記少なくとも第１の切欠部が、Ｎ数の切欠部を含む、請求項１１に記載のインプラント。
【請求項１３】
前記複数の切欠部が、前記歯冠−根尖軸の周りに等しく分散された６つの切欠部を含む、請求項１１または１２に記載のインプラント。
【請求項１４】
前記受け入れ容積域が、ボア穴の表面によって画定された多角形角柱を含み、前記多角形角柱は、前記インターロッキング部分が、正確にＮ数の配向の１つで前記多角形角柱に挿入可能であるように構成される、請求項１に記載のインプラント。
【請求項１５】
前記多角形角柱が、六角形角柱である、請求項１４に記載のインプラント。
【請求項１６】
Ｎ数が、１から３の間である、請求項１４または１５に記載のインプラント。
【請求項１７】
歯科インプラントの受け入れ容積域内への回転式のキー式挿入のための歯科インプラント埋め込みツールであって、
前記受け入れ容積域内に挿入するようにサイズ設定され成形されたインターロッキング部分であって、前記受け入れ容積域が、Ｎ数の嵌合配向の１つで前記インターロッキング部分と嵌合するように成形される、インターロッキング部分を含み、
前記インターロッキング部分は、正確にＮ数の配向の１つで前記歯科インプラントに嵌合可能であり、
前記インターロッキング部分は、前記歯科インプラントと嵌合されたとき、前記歯科インプラントの少なくともＮ＋１数のトルク受け入れ表面上にトルクを及ぼすように前記埋め込みツールを回転させることによって回転可能である、前記歯科インプラント埋め込みツール。
【請求項１８】
前記トルク受け入れ表面が、前記受け入れ容積域の前記Ｎ数の嵌合配向を規定する表面内に含まれる、請求項１７に記載の埋め込みツール。
【請求項１９】
ａ．顎骨内に回転式に配向された埋め込みのための歯科インプラントであって、
ｉ．歯冠−根尖軸に沿って長手方向の大きさを有する本体であって、前記本体は顎骨内にその骨内部分内のインプラントのためにサイズ設定され、前記本体は前記歯冠−根尖軸の周りでＮ数の別個の対向方向を有し、Ｎ数は少なくとも１であり、前記対向方向の各々は前記長手方向の大きさに沿って外側表面の形状の特徴によって規定される、前記本体、および
ｉｉ．歯科インプラント埋め込みツールのキー加工された部分を受けるためのキーパターンであって、前記キーパターンは、Ｎ数の嵌合配向の各々が前記Ｎ数の対向方向の１つに対応するように、正確に前記Ｎ数の嵌合配向の１つで前記キー加工された部分とインターロックするよう配置されている、前記キーパターン
を備えた前記歯科インプラントと、
ｂ．前記歯科インプラントのキーパターン内への回転式のキー式挿入のための歯科インプラント埋め込みツールであって、
ｉ．前記インプラントキーパターンとインターロックするようサイズ設定され成形されたキー加工された部分であって、前記インプラントキーパターンは、Ｎ数の嵌合配向の１つでそれと嵌合するように成形されている、前記キー加工された部分、および
ｉｉ．正確にＮ数の配向の１つで前記歯科インプラントへ嵌合可能な前記キー加工された部分であって、前記キー加工された部分は、前記歯科インプラントと嵌合されたときに、前記埋め込みツールの回転配向が前記歯科インプラントの回転配向を依存して示すように、前記埋め込みツールの回転により回転可能である、前記キー加工された部分
を備えた前記歯科インプラント埋め込みツールと
を含む歯科インプラントキット。
【請求項２０】
歯科インプラント近くの顎骨内の骨成長を促す方法であって、
少なくとも１つの切り取りセクションをその骨内部分内に備えた歯科インプラントを選択することと、
前記歯科インプラントを歯科インプラント埋め込みツールに取り付けて、前記歯科インプラントおよび前記埋め込みツールを１つまたは所定の相対配向の中から選択された相対配向にロックすることと、
前記歯科インプラントを前記顎骨内のボア内に、骨の薄い部分に隣接させて挿入することであって、
前記切り取りセクションの領域を通って延びる容積域を、前記容積域が骨の前記薄い部分によって得られた骨厚さで充填するようになされるように配向することを含む、挿入することと、
骨の前記薄い部分から前記容積域内への新しい骨成長を可能にすることとを含み、
前記容積域の前記配向が、前記歯科インプラント埋め込みツールの配向の検査を含み、
骨の前記薄い部分が、頬側骨板、舌側骨板、および歯間中隔からなる群の１つの一部分を含む、方法。
【請求項２１】
歯科インプラント近くの顎骨内の骨成長を促す方法であって、
切り取りセクションをその骨内部分内に備えた歯科インプラントを選択することと、
前記歯科インプラントを前記顎骨内のボア内に、骨の薄い部分に隣接させて挿入することであって、前記容積域が骨の前記薄い部分によって得られた骨厚さで充填するよう構成されるように、前記切り取りセクションの領域を通って延びる容積域を配向することを含む前記挿入することと、
前記切り取りセクション内からの突起部によって骨の前記薄い部分に接触刺激を与えることとを含み、
前記接触刺激が、骨の前記薄い部分から前記容積域内への新しい骨成長を促進し、
骨の前記薄い部分が、頬側骨板、舌側骨板、および歯間中隔からなる群の１つの一部分を含む、方法。
【請求項２２】
顎骨内の埋め込みのための歯科インプラントであって、
インプラント本体の骨内部分を前記顎骨内に埋め込むようにサイズ設定されたインプラント本体を備え、
前記本体が、前記骨内部分内に含まれた前記本体の１つの側部に沿って長手方向に延びる非環状の切り取り容積域の内側境界を画定する少なくとも１つの側部表面を有し、
前記側部表面は、前記本体が埋め込まれたとき、前記側部表面と、前記側部表面が最も近いインプラント表面になる前記顎骨の一部分との間に前記容積域を置くように位置決め可能であり、
前記側部表面は、前記顎骨の前記部分に向かって延びる少なくとも１つの突起部を含み、
前記少なくとも１つの突起部は、前記顎骨の前記部分のオッセオインテグレーション時、前記インプラント本体を、その根尖−歯冠軸に沿った移動を限定するようにアンカー固定する、前記歯科インプラント。
【請求項２３】
前記少なくとも１つの突起部が、最初の埋め込み時、前記突起部の径方向外向きの表面において前記顎骨の前記部分と接触するように前記側部表面上に位置決めされる、請求項２２に記載の歯科インプラント。
【請求項２４】
前記接触が、前記根尖−歯冠軸に沿った移動を限定するアンカー固定を含まない、請求項２３に記載の歯科インプラント。
【請求項２５】
顎骨内の埋め込みのための歯科インプラントであって
インプラント本体の骨内部分を前記顎骨内に埋め込むようにサイズ設定されたインプラント本体を備え、
前記骨内部分内に含まれた前記本体の１つの側部に沿って長手方向に延びる非環状の切り取り容積域の内側境界を画定する、少なくとも１つの側部表面を有し、
前記側部表面は、前記本体が埋め込まれたとき、前記側部表面と、前記側部表面が最も近いインプラント表面になる前記顎骨の一部分との間に前記容積域を置くように位置決め可能であり、
前記側部表面は、１０〜１９ｃｍの曲率半径で前記長手方向の大きさに対して横断方向に湾曲される、前記歯科インプラント。
【請求項２６】
顎骨内の埋め込みのための歯科インプラントであって、
インプラント本体の骨内部分を顎骨内に埋め込むようにサイズ設定されたインプラント本体を備え、
前記本体が、非円形の断面を有する外部にねじ切りされたコアを含み、
前記ねじ切りされたコアの根尖先端部から少なくとも５ｍｍ離れたところから始まる前記コアのねじ山は、円筒状表面であって、その長さに沿ってその最大直径の０％から５０％までのテーパ化を有する、円筒状表面を画定する、前記歯科インプラント。
【請求項２７】
顎骨内の回転式に配向された埋め込みのための歯科インプラントであって、
歯冠−根尖軸に沿って長手方向の大きさを有する本体であって、前記歯冠−根尖軸の周りでＮ数の別個の対向方向を有し、Ｎ数は少なくとも２である、前記本体と、
歯科インプラント埋め込みツールのインターロッキング部分を受け入れるための表面によって画定された受け入れ容積域とを備え、
前記表面は、Ｎ数またはこれより少ない配向の１つで前記インターロッキング部分とインターロックするように配置される、前記歯科インプラント。
【請求項２８】
顎骨内の回転式に配向された埋め込みのための歯科インプラントであって、
歯冠−根尖軸に沿って長手方向の大きさを有する本体であって、前記歯冠−根尖軸の周りでＮ数の別個の対向方向を有し、Ｎ数は少なくとも１である、前記本体と、
歯科インプラント埋め込みツールのインターロッキング部分を受け入れるための表面によって画定された受け入れ容積域とを備え、
前記表面は、Ｎ＋１数またはそれ以上の配向の１つで前記インターロッキング部分とインターロックするように配置される、前記歯科インプラント。
【請求項２９】
顎骨内の埋め込みのための歯科インプラントを歯科インプラント埋め込みツールに取り付けるための保持システムであって、
歯冠−根尖軸に沿って長手方向の大きさを有する前記歯科インプラントの本体と、
前記歯冠−根尖軸に沿って前記本体の歯冠端部上の開口から根尖側に延びるボア穴であって、少なくとも１つの長手方向に延びる壁部分を含み、前記長手方向に延びる壁部分のより根尖側のセクションは、そのより歯冠側のセクションに対して外向きに径方向にずらされる、前記ボア穴とを含み、
前記埋め込みツールの一部分は弾性要素を有し、前記ボア穴内に挿入するようにサイズ設定され、
前記弾性要素は、前記埋め込みツールが前記ボア穴内に完全に挿入されたとき、前記径方向のずれセクションによって画定された領域とインターロックするようにサイズ設定され位置決めされる、保持システム。
【請求項３０】
前記ずらされた径方向の外向き壁部分が、前記ボア穴の周囲内に切断されたリングの少なくとも一部分を含む、請求項２９に記載の保持システム。
【請求項３１】
前記歯科インプラントおよび前記埋め込みツールが、前記弾性要素および前記ずらされた径方向の外向き壁部分がインターロックする前、固定された回転配向に相互干渉によって拘束される、請求項２９〜３０のいずれか１項に記載の保持システム。